【手続補正書】
【提出日】平成26年5月7日(2014.5.7)
【手続補正１】
【補正対象書類名】特許請求の範囲
【補正対象項目名】全文
【補正方法】変更
【補正の内容】
【特許請求の範囲】
【請求項１】
硬化させられた熱硬化性ポリマー結合剤で結合された物体集合体を作製する方法であって、前記方法は、
前記硬化させられた熱硬化性ポリマー結合剤を生成するための反応物を含有する水性結合剤溶液を調製するステップであって、前記反応物が還元糖および求核剤Ｒ１−Ｑ−Ｒ２を含んでおり、
ここで、
Ｑがアルキル、シクロアルキル、ヘテロアルキル、またはシクロヘテロアルキルであり、前記アルキル、シクロアルキル、ヘテロアルキル、シクロヘテロアルキルはそれぞれ、任意選択で置換され、
Ｒ１が、アミン、アジド、シアネート、イソシアネート、チオール、ジスルフィド、チオシアネート、ハロゲン、ハロホルミル、カルボキシル、カルボキシレート、ヒドロキシル、およびアルコキシドからなる群から選択され、
Ｒ２が、アミン、アミド、イミン、イミド、ニトロ、ニトレート、ピリジン、ホスフェート、ホスホノ、ヒドロキシル、水素、スルホノ、スルホ、スルフィニル、およびスルフヒドリルからなる群から選択される、
ステップと、
前記結合剤溶液を、物体集合体上に配置するステップと、
前記結合剤溶液を乾燥させて、未硬化結合剤を形成するステップと、
前記未硬化結合剤を熱硬化させて、前記硬化させられた熱硬化性ポリマー結合剤で結合された前記物体集合体を形成するステップと、
を含む、方法。
【請求項２】
前記硬化させられた熱硬化性ポリマー結合剤が、ホルムアルデヒドフリーである、請求項１に記載の方法。
【請求項３】
ホルムアルデヒドもフェノールも、試薬として使用されない、請求項１または２に記載の方法。
【請求項４】
前記物体集合体が、ガラス繊維、鉱物繊維、アラミド繊維、セラミック繊維、金属繊維、炭素繊維、ポリイミド繊維、ポリエステル繊維、レーヨン繊維、セルロース繊維、木屑、おが屑、木材パルプ、砕木、黄麻、亜麻、麻、藁、微粒子、石炭微粒子、および砂微粒子からなる群から選択される物体を含む、前記請求項のいずれか一項に記載の方法。
【請求項５】
前記物体集合体が、７０重量％から９９重量％の範囲で存在するガラス繊維を含む、前記請求項のいずれか一項に記載の方法。
【請求項６】
前記還元糖が、デキストロース、キシロース、フルクトース、ジヒドロキシアセトン、およびこれらの混合物からなる群から選択される、前記請求項のいずれか一項に記載の方法。
【請求項７】
Ｒ１およびＲ２が前記還元糖と共有結合を形成して前記ポリマー結合剤を形成する、前記請求項のいずれか一項に記載の方法。
【請求項８】
Ｒ１が、アジド、シアネート、イソシアネート、チオール、ジスルフィド、チオシアネート、ハロゲン、ハロホルミル、カルボキシル、カルボキシレート、ヒドロキシル、およびアルコキシドからなる群から選択され、
Ｒ２が、アミン、アミド、イミン、イミド、ニトロ、ニトレート、ピリジン、ホスフェート、ホスホノ、ヒドロキシル、水素、スルホノ、スルホ、スルフィニル、およびスルフヒドリルからなる群から選択される、
前記請求項のいずれか一項に記載の方法。
【請求項９】
Ｒ１が、アミン、アジド、シアネート、イソシアネート、チオール、ジスルフィド、チオシアネート、ハロゲン、ハロホルミル、カルボキシル、カルボキシレート、ヒドロキシル、およびアルコキシドからなる群から選択され、
Ｒ２が、アミド、イミン、イミド、ニトロ、ニトレート、ピリジン、ホスフェート、ホスホノ、ヒドロキシル、水素、スルホノ、スルホ、スルフィニル、およびスルフヒドリルからなる群から選択される、
前記請求項のいずれか一項に記載の方法。
【請求項１０】
Ｑが、Ｃ２〜Ｃ２４アルキル、好ましくはＣ２〜Ｃ８アルキル、より好ましくはＣ３〜Ｃ７アルキル、さらにより好ましくはＣ６アルキルからなる群から選択されるアルキルである、前記請求項のいずれか一項に記載の方法。
【請求項１１】
Ｑが、シクロヘキシル、シクロペンチル、シクロブチルおよびベンジルからなる群から選択される、前記請求項のいずれか一項に記載の方法。
【請求項１２】
Ｒ１−Ｑ−Ｒ２が２−［（２-アミノエチル）アミノ］エタノール、Ｒ１およびＲ２がそれぞれチオールである化合物、Ｒ１およびＲ２がそれぞれアミンである化合物、ならびにＲ１がアミンであり、Ｒ２が、アミド、イミン、またはイミドである化合物からなる群から選択される、前記請求項のいずれか一項に記載の方法。
【請求項１３】
前記還元糖と前記求核剤との重量比が１：１から３０：１の範囲内、より好ましくは２：１から１０：１の範囲内、特に３：１から６：１の範囲内にある、前記請求項のいずれか一項に記載の方法。
【請求項１４】
前記結合剤溶液を調製するステップが、前記結合剤溶液のｐＨを８から１２の範囲内に調節するステップを含む、前記請求項のいずれか一項に記載の方法。
【請求項１５】
前記結合剤溶液がアルカリ性ｐＨを有する、前記請求項のいずれか一項に記載の方法。
【請求項１６】
前記硬化させられた結合剤が、実質的に水不溶性である、前記請求項のいずれか一項に記載の方法。
【請求項１７】
前記ポリマー結合剤が、４２０ｎｍの光を強力に吸収する、前記請求項のいずれか一項に記載の方法。
【請求項１８】
前記ポリマー結合剤が、本質的に酸を含まない、前記請求項のいずれか一項に記載の方法。
【請求項１９】
前記物体集合体および前記硬化させられた熱硬化性ポリマー結合剤が、ケイ素含有化合物、γ−アミノプロピルトリエトキシシラン、γ−グリシドキシプロピルトリメトキシシラン、アミノエチルアミノプロピルトリメトキシシラン、アミノ官能性オリゴマーシロキサン、およびその混合物からなる群から選択される材料をさらに含む、前記請求項のいずれか一項に記載の方法。
【請求項２０】
前記物体集合体および前記硬化させられた熱硬化性ポリマー結合剤が、制塵油、リン酸一アンモニウム、メタケイ酸ナトリウム五水和物、メラミン、シュウ酸スズ（ＩＩ）、およびメチル水素シリコーン流体エマルジョンからなる群から選択される腐食防止剤をさらに含む、前記請求項のいずれか一項に記載の方法。
【請求項２１】
前記結合剤が非水性加湿剤をさらに含む、前記請求項のいずれか一項に記載の方法。
【請求項２２】
硬化させられた熱硬化性ポリマー結合剤で結合された物体集合体を含む組成物であって、前記硬化させられた熱硬化性ポリマー結合剤が、前記ポリマー結合剤を生成するための反応物を含有する水性結合剤溶液を乾燥および硬化させた反応生成物を含み、前記反応物が還元糖および求核剤Ｒ１−Ｑ−Ｒ２を含んでおり、
ここで、
Ｑがアルキル、シクロアルキル、ヘテロアルキル、またはシクロヘテロアルキルであり、前記アルキル、シクロアルキル、ヘテロアルキル、シクロヘテロアルキルはそれぞれ、任意選択で置換され、
Ｒ１が、アミン、アジド、シアネート、イソシアネート、チオール、ジスルフィド、チオシアネート、ハロゲン、ハロホルミル、カルボキシル、カルボキシレート、ヒドロキシル、およびアルコキシドからなる群から選択され、
Ｒ２が、アミン、アミド、イミン、イミド、ニトロ、ニトレート、ピリジン、ホスフェート、ホスホノ、ヒドロキシル、水素、スルホノ、スルホ、スルフィニル、およびスルフヒドリルからなる群から選択される、
組成物。
【請求項２３】
前記組成物が請求項１〜２１のいずれか一項に記載の方法によって得られる、請求項２２に記載の組成物。
【請求項２４】
前記組成物が複合木質ボードである、請求項２２または２３に記載の組成物。
【請求項２５】
前記組成物がワックスを含む複合木質ボードである、請求項２２または２３に記載の組成物。
【請求項２６】
前記組成物が以下の特徴：
少なくとも約１８００Ｎ／ｍｍ２の弾性率（ＭＯＥ）
少なくとも約１８Ｎ／ｍｍ２の曲げ強度（ＭＯＲ）
少なくとも０．２８Ｎ／ｍｍ２の内部結合強度（ＩＢ）
２０℃の水中で２４時間後に厚さの変化を測定した場合、約１２％以下で膨潤する
２０℃の水中で２４時間後に、約４０％以下の吸水率
８％から１８％の乾燥重量の前記結合剤
の１つ以上を有する複合木質ボードである、請求項２２〜２５のいずれか一項に記載の組成物。
【請求項２７】
前記組成物は、木質パーティクルボード、配向性ストランドボード、および中密度ファイバーボードから選択される複合木質ボードである、請求項２２〜２６のいずれか一項に記載の組成物。
【請求項２８】
前記物体集合体が鉱物繊維絶縁製品である、請求項２２または２３に記載の組成物。
【手続補正２】
【補正対象書類名】明細書
【補正対象項目名】００１４
【補正方法】変更
【補正の内容】
【００１４】
別の実施形態では、組成物はさらに、ケイ素含有化合物を含む。一実施形態では、ケイ素含有化合物は、官能化シリルエーテルまたは官能化アルキルシリルエーテル、例えばアミノ官能化アルキルシリルエーテルである。例えば、一実施形態では、ケイ素含有化合物は、γ−アミノプロピルトリエトキシシラン、γ−グリシドキシプロピルトリメトキシシラン、またはアミノエチルアミノプロピルトリメトキシシラン、またはその混合物であってもよい。別の実施形態では、ケイ素含有化合物は、アミノ官能性オリゴマーシロキサンであってもよい。別の実施形態では、組成物は、制塵油、リン酸一アンモニウム、メタケイ酸ナトリウム五水和物、メラミン、シュウ酸スズ（ＩＩ）、およびメチル水素シリコーン流体エマルジョンからなる群から選択される腐食防止剤を含む。
一実施形態において、例えば、以下の項目が提供される。
（項目１）
炭水化物反応物と求核剤とのポリマー生成物を含む結合剤であって、
（ａ）前記求核剤がＲ１−Ｑ−Ｒ２であり、
（ｂ）Ｑがアルキル、シクロアルキル、ヘテロアルキル、またはシクロヘテロアルキルであり、前記アルキル、シクロアルキル、ヘテロアルキル、シクロヘテロアルキルはそれぞれ、任意選択で置換され、求核部分および安定化部分を有しており、
（ｃ）Ｒ１が、アミン、アジド、シアネート、イソシアネート、チオール、ジスルフィド、チオシアネート、ハロゲン、ハロホルミル、カルボキシル、カルボキシレート、ヒドロキシル、およびアルコキシドからなる群から選択され、
（ｄ）Ｒ２が、アミン、アミド、イミン、イミド、ニトロ、ニトレート、ピリジン、ホスフェート、ホスホノ、ヒドロキシル、水素、スルホノ、スルホ、スルフィニル、およびスルフヒドリルからなる群から選択される
結合剤。
（項目２）
前記炭水化物反応物が多糖である、項目１に記載の結合剤。
（項目３）
前記炭水化物反応物が単糖または二糖である、項目１に記載の結合剤。
（項目４）
前記炭水化物反応物が、そのアルドース形態またはケトース形態である単糖である、項目１に記載の結合剤。
（項目５）
前記炭水化物反応物が、デキストロース、キシロース、フルクトース、ジヒドロキシアセトン、およびこれらの混合物からなる群から選択される、項目１に記載の結合剤。
（項目６）
Ｒ１およびＲ２が前記炭水化物反応物と共有結合を形成して前記ポリマー生成物を形成する、項目１から５のいずれか一項に記載の結合剤。
（項目７）
Ｒ１が求核部分であり、Ｒ２が安定化部分である、項目１から６のいずれか一項に記載の結合剤。
（項目８）
Ｑが、Ｃ２〜Ｃ２４からなる群から選択されるアルキルである、項目１から７のいずれか一項に記載の結合剤。
（項目９）
Ｑが、Ｃ２〜Ｃ８からなる群から選択されるアルキルである、項目１から７のいずれか一項に記載の結合剤。 
（項目１０）
Ｑが、Ｃ３〜Ｃ７からなる群から選択されるアルキルである、項目１から７のいずれか一項に記載の結合剤。
（項目１１）
ＱがＣ６アルキルである、項目１から７のいずれか一項に記載の結合剤。
（項目１２）
Ｑが、シクロヘキシル、シクロペンチル、またはシクロブチルからなる群から選択される、項目１から７のいずれか一項に記載の結合剤。
（項目１３）
Ｑがベンジルである、項目１から７のいずれか一項に記載の結合剤。
（項目１４）
Ｒ１−Ｑ−Ｒ２が２−［（２-アミノエチル）アミノ］エタノールである、項目１か
ら７のいずれか一項に記載の結合剤。
（項目１５）
Ｒ１およびＲ２がそれぞれチオールである、項目１から１３のいずれか一項に記載の結合剤。
（項目１６）
Ｒ１がアミンである、項目１から１３のいずれか一項に記載の結合剤。
（項目１７）
Ｒ２が、アミン、アミド、イミン、またはイミドである、項目１６に記載の結合剤。
（項目１８）
Ｒ２がアミンである、項目１６に記載の結合剤。
（項目１９）
前記炭水化物反応物と前記求核剤とのモル比が約１：１から約３０：１の範囲内にある、項目１から１８のいずれか一項に記載の結合剤。
（項目２０）
前記炭水化物反応物と前記求核剤とのモル比が約２：１から約１０：１の範囲内にある、項目１から１８のいずれか一項に記載の結合剤。
（項目２１）
前記ポリマー生成物の水性抽出物が約５から約９の範囲のｐＨを有する、項目１から２０のいずれか一項に記載の結合剤。
（項目２２）
前記ポリマー生成物の水性抽出物が本質的に無色である、項目１から２１のいずれか一項に記載の結合剤。
（項目２３）
前記ポリマー生成物の水性抽出物が、ベネディクト試薬を還元することが可能である、項目１から２２のいずれか一項に記載の結合剤。
（項目２４）
前記ポリマー生成物が、フェノールフリーおよびホルムアルデヒドフリーである、項目１から２３のいずれか一項に記載の結合剤。
（項目２５）
前記炭水化物反応物および前記求核剤が不揮発性である、項目１から２４のいずれか一項に記載の結合剤。
（項目２６）
前記結合剤に接触している溶液がベネディクト試薬を還元する、項目１から２５のいずれか一項に記載の結合剤。
（項目２７）
前記ポリマー生成物が、４２０ｎｍの光を強力に吸収する、項目１から２６のいずれか一項に記載の結合剤。
（項目２８）
ポリマー結合剤を生成するための反応物および溶媒を含有する溶液を調製するステップであって、前記反応物が炭水化物反応物および求核剤を含んでいるステップと、
前記溶液を、物体集合体上に配置するステップと、
前記溶媒を揮発させて、未硬化生成物を形成するステップと、
前記炭水化物反応物および前記求核剤を重合させて前記ポリマー結合剤の形成を引き起こす条件に前記未硬化生成物を供するステップと
を含む、前記ポリマー結合剤で結合された物体集合体を作製する方法。
（項目２９）
前記物体集合体が、鉱物繊維、アラミド繊維、セラミック繊維、金属繊維、炭素繊維、ポリイミド繊維、ポリエステル繊維、レーヨン繊維、およびセルロース繊維からなる群から選択される繊維を含む、項目２８に記載の方法。
（項目３０）
前記物体集合体がガラス繊維である、項目２８に記載の方法。
（項目３１）
前記ガラス繊維が、約７０重量％から約９９重量％の範囲で存在する、項目３０に記載の方法。
（項目３２）
前記物体集合体がセルロース繊維を含む、項目２８に記載の方法。
（項目３３）
前記セルロース繊維が、木屑、おが屑、木材パルプ、および砕木からなる群から選択される基材である、項目３２に記載の方法。
（項目３４）
前記未硬化生成物を、貯蔵に適した包装材料に包装するステップをさらに含む、項目２８に記載の方法。
（項目３５）
前記溶液を調製するステップが、ある量の前記炭水化物反応物とある量の前記求核剤とを、重量比が約２：１から約１０：１の範囲内にあるように添加するステップを含む、項目２８に記載の方法。
（項目３６）
前記溶液を調製するステップが、前記炭水化物反応物および前記求核剤を水溶液に添加するステップを含む、項目２８に記載の方法。
（項目３７）
前記溶液を調製するステップが、前記溶液のｐＨを約８から約１２の範囲内に調節するステップを含む、項目３６に記載の方法。
（項目３８）
物体集合体および結合剤を含む組成物であって、前記結合剤は、炭水化物反応物と求核剤との間の反応のポリマー生成物を含み、前記ポリマー生成物は実質的に水不溶性である組成物。
（項目３９）
前記物体集合体が、鉱物繊維、アラミド繊維、セラミック繊維、金属繊維、炭素繊維、ポリイミド繊維、ポリエステル繊維、レーヨン繊維、およびセルロース繊維からなる群から選択される繊維を含む、項目３８に記載の組成物。
（項目４０）
前記物体集合体がガラス繊維を含む、項目３８に記載の組成物。
（項目４１）
前記物体集合体がセルロース繊維を含む、項目３８に記載の組成物。
（項目４２）
前記セルロース繊維が、木屑、おが屑、木材パルプ、砕木、黄麻、亜麻、麻、および藁からなる群から選択されるセルロース基材中に存在する、項目４１に記載の組成物。
（項目４３）
前記炭水化物反応物が、デキストロース、キシロース、フルクトース、ジヒドロキシアセトン、およびこれらの混合物からなる群から選択される、項目３８から４２のいずれか一項に記載の組成物。
（項目４４）
前記求核剤が、求核部分および安定化部分を有する化合物である、項目３８から４３のいずれか一項に記載の組成物。
（項目４５）
前記求核剤がＲ１−Ｑ−Ｒ２であり、式中、
（ａ）Ｑがアルキル、シクロアルキル、ヘテロアルキル、またはシクロヘテロアルキルであり、前記アルキル、シクロアルキル、ヘテロアルキル、シクロヘテロアルキルはそれぞれ、任意選択で置換されており、
（ｂ）Ｒ１が前記求核部分であり、
（ｃ）Ｒ２が前記安定化部分である、
項目３８から４４のいずれか一項に記載の結合剤。
（項目４６）
ケイ素含有化合物をさらに含む、項目３８から４５のいずれか一項に記載の組成物。
（項目４７）
前記ケイ素含有化合物が、γ−アミノプロピルトリエトキシシラン、γ−グリシドキシプロピルトリメトキシシラン、アミノエチルアミノプロピルトリメトキシシラン、アミノ官能性オリゴマーシロキサン、およびこれらの混合物からなる群から選択される、項目４６に記載の組成物。
（項目４８）
前記ケイ素含有化合物がγ−アミノプロピルトリエトキシシランである、項目４６に記載の組成物。
（項目４９）
制塵油、リン酸一アンモニウム、メタケイ酸ナトリウム五水和物、メラミン、シュウ酸スズ（ＩＩ）、およびメチル水素シリコーン流体エマルジョンからなる群から選択される腐食防止剤をさらに含む、項目３８から４８のいずれか一項に記載の組成物。